(57)【要約】【課題】比較的太い熱線を装着することができ、熱線の発熱量を大きくすることができる融雪システム用の金具を提供すること。【解決手段】この融雪システム用金具１は、一対の端部１４，１６を有する平板形状を有しており、その中央部には平坦部１２を有する。一対の端部の一方の端部１４側には、平坦部１２に連接されており、雪を溶かすための熱線を構成する導体を収容する導体収容部１１が設けられており、一対の端部の他方の端部１６側には、瓦の端部に係止するための係止部１３が設けられている。平坦部１２であって相対的に係止部１３側には、融雪システム用金具１全体の位置ずれを防止するための突出部１５が設けられている。【選択図】図１
2007239188.tif 000002
【特許請求の範囲】
【請求項１】
瓦に導体を装着してなる融雪システムにおいて前記導体を前記瓦に装着するための金具であって、前記金具は、
一対の端部を有する金具本体と、前記一対の端部の一方の端部側に設けられ、前記導体を囲繞して支持する導体収容部と、前記一対の端部の他方の端部側に設けられ、前記瓦の端部に係止するための係止部と、を具備することを特徴とする融雪システム用金具。
【請求項２】
前記金具本体は、前記係止部で係止する瓦側に突出する突出部を有することを特徴とする請求項１記載の融雪システム用金具。
【請求項３】
前記金具本体が比較的高い耐食性を有する材料で構成されたことを特徴とする請求項１又は請求項２記載の融雪システム用金具。
【請求項４】
前記金具本体が絶縁性材料で被覆されたことを特徴とする請求項１から請求項３のいずれかに記載の融雪システム用金具。
【請求項５】
前記金具は、前記係止部が係止する瓦と、この瓦の上に重ねられる瓦とにより固定されることを特徴とする請求項１から請求項４のいずれかに記載の融雪システム用金具。
【発明の詳細な説明】
【技術分野】
【０００１】
本発明は、屋根瓦に積もった雪を融解するための融雪システムに使用される金具に関する。
【背景技術】
【０００２】
積雪の多い地方では、屋根に積もった雪を、スコップなどを使って下ろす、雪下ろしの作業が必須である。この作業は重労働であるので、できる限り雪下ろしの作業なしに雪を溶かすことが望まれている。この要望を満たすべく、従来より、屋根瓦に熱線を取り付けてなる融雪システムが開発されている。
【０００３】
この融雪システムは、図４に示すように、瓦２１の表面上に、被覆導線を熱線２２として折り返しながら配置し、熱線２２を配置した瓦２１上にアルミニウムなどからなるテープ２３を貼り付けて熱線２２を固定してなるものである。
【発明の開示】
【発明が解決しようとする課題】
【０００４】
しかしながら、従来の融雪システムは、熱線２２をテープ２３で固定する構成であるので、比較的細い熱線しか固定できない。また、熱線２２で雪を溶かすと、熱線２２自体が熱くなるので、テープ２３の接着剤が融解して剥がれ易くなる。このため、熱線２２の発熱量を大きくすることができない。
【０００５】
本発明はかかる点に鑑みてなされたものであり、比較的太い熱線を装着することができ、熱線の発熱量を大きくすることができる融雪システム用の金具を提供することを目的とする。
【課題を解決するための手段】
【０００６】
本発明の融雪システム用金具は、瓦に導体を装着してなる融雪システムにおいて前記導体を前記瓦に装着するための金具であって、前記金具は、一対の端部を有する金具本体と、前記一対の端部の一方の端部側に設けられ、前記導体を囲繞して支持する導体収容部と、前記一対の端部の他方の端部側に設けられ、前記瓦の端部に係止するための係止部と、を具備することを特徴とする。
【０００７】
この構成によれば、導体収容部を設けているので、内部に挿通する導体を太くすることが可能であり、これにより発熱量を増加させて融雪効率を向上させることができる。また、導体収容部で導体を支持しているので、従来のように導体の熱でテープの接着剤が融解して剥離するなどの問題は生じない。さらに係止部を瓦の端部に引っ掛けて、瓦の間で融雪システム用金具を挟み込んでいるので、瓦の間に融雪システム用金具を固定することができる。
【０００８】
本発明の融雪システム用金具においては、前記金具本体は、前記係止部で係止する瓦側に突出する突出部を有することが好ましい。
【０００９】
この構成によれば、突出部が係止部と共に同じ瓦を支持するので、融雪システム用金具を瓦の間に確実に固定することができる。
【００１０】
本発明の融雪システム用金具においては、前記金具本体が比較的高い耐食性を有する材料で構成されたことが好ましい。また、本発明の融雪システム用金具においては、前記金具本体が絶縁性材料で被覆されたことが好ましい。
【００１１】
本発明の融雪システム用金具においては、前記金具は、前記係止部が係止する瓦と、この瓦の上に重ねられる瓦とにより固定されることが好ましい。
【発明の効果】
【００１２】
本発明の融雪システム用金具によれば、少なくとも瓦に装着する導体を囲繞して支持する導体収容部を備えるので、比較的太い熱線を装着することができ、熱線の発熱量を大きくすることができる。
【発明を実施するための最良の形態】
【００１３】
以下、本発明の実施の形態について、添付図面を参照して詳細に説明する。
図１は、本発明の一実施の形態に係る融雪システム用金具を示す図であり、（ａ）は側面図であり、（ｂ）は平面図である。
【００１４】
図中１は、融雪システム用金具を示す。この融雪システム用金具１は、一対の端部１４，１６を有する平板形状を有しており、その中央部には平坦部（本体）１２を有する。一対の端部の一方の端部１４側には、平坦部１２に連接されており、雪を溶かすための熱線を構成する導体を収容する導体収容部１１が設けられており、一対の端部の他方の端部１６側には、瓦の端部に係止するための係止部１３が設けられている。平坦部１２であって相対的に係止部１３側には、融雪システム用金具１全体の位置ずれを防止するための突出部１５が設けられている。融雪システム用金具１の大きさは、特に制限はないが、８０〜１２０ｍｍ程度であることが好ましい。
【００１５】
導体収容部１１は、導体を囲繞するような形状、断面略円形状を有している。すなわち、平坦部１２の端部１４側がフック形状に成形され、端部１４での面の位置が平坦部１２の面とほぼ同じ位置であるように構成されている。この導体収容部１１は、導体収容部１１の内部に導体を挿通することにより、導体を支持できるようになっている。なお、導体収容部１１の断面形状は、特に限定されず、内部に挿通する導体を支持できればどのような形状であっても良い。また、導体収容部１１の大きさは、収容する導体の太さに依存するが、１０〜２５ｍｍ程度であることが好ましい。このように導体収容部１１を設けることにより、内部に挿通する導体を太くすることが可能であり、これにより発熱量を増加させて融雪効率を向上させることができる。
【００１６】
係止部１３は、平坦部１２の端部１６側が平坦部１２の面に対してほぼ垂直に折り曲げられている。この係止部１３は、平坦部１２に対して導体収容部１１と反対側に延在している。このように係止部１３が平坦部１２に対して導体収容部１１と反対側に延在することにより、導体収容部１１の存在に関係なく、すなわち導体収容部１１に抵触することなく、融雪システム用金具１を瓦に係止させることができる。なお、係止部１３の大きさは、特に制限はないが、１５〜３０ｍｍ程度であることが好ましい。
【００１７】
突出部１５は、融雪システム用金具１を瓦に装着する際に、瓦を押圧して瓦の間に融雪システム用金具１を固定する。したがって、平坦面１２に対して導体収容部１１側に突出しても係止部１３側に突出しても良いが、突出部１５が係止部１３と共に同じ瓦を支持して、確実に融雪システム用金具１を瓦の間に固定するためには、図１に示すように、係止部１３が延在する方向、すなわち係止部１３で係止する瓦側に突出することが望ましい。なお、突出部１５の深さは、特に制限はないが、３〜５ｍｍ程度であることが好ましい。
【００１８】
融雪システム用金具１は、剛性を有しており、比較的高い耐食性を有する材料で構成する。比較的高い耐食性を有する材料としては、例えばステンレス鋼、アルミニウムなどを挙げることができる。また、融雪システム用金具１は、導体と導通しないように少なくとも導体収容部１１を含む領域が絶縁性材料で被覆されることが好ましい。絶縁性材料としては、例えば導体の被覆材と同じ材料、ポリ塩化ビニルなどを挙げることができる。
【００１９】
次に、本発明の融雪システム用金具を瓦に装着した状態について説明する。
図２は、図１に示す融雪システム用金具を瓦に装着した状態を示す斜視図であり、図３は、図１に示す融雪システム用金具を瓦に装着した状態を示す側面図である。
【００２０】
図２においては、下側瓦２と上側瓦３との間に導体４を挿通した融雪システム用金具１を取り付けた状態を示す。図２においては、下側瓦２の列及び上側瓦３の列のみを示しているが、上側瓦３の上部には、さらに瓦が複数列配置されている。したがって、上側瓦３とその上部に配置される瓦との間に融雪システム用金具１を取り付ける場合には、上側瓦３がここでいう下側瓦２の役割を果たすことになる。なお、融雪システム用金具１は、すべての瓦間に装着しても良く、任意の瓦間で選択的に装着しても良い。
【００２１】
融雪システム用金具１は、図３に示すように、屋根５上に配置された下側瓦２と上側瓦３との間に装着される。融雪システム用金具１の導体収容部１１の内部には、導体４が挿通されている。この導体収容部１１により導体４は支持される。融雪システム用金具１の係止部１３は、下側瓦２の上方の端部に引っ掛けられて係止されている。このとき、融雪システム用金具１の突出部が下側瓦２の表面に当接する。
【００２２】
さらに、下側瓦２に取り付けた融雪システム用金具１上に上側瓦３が重ねられる。このとき、下側瓦２及び上側瓦３で融雪システム用金具１を挟み込むので、下側瓦２と上側瓦３との間に融雪システム用金具１が固定されることになる。さらに、このとき、上側瓦３を重ねることにより上側瓦３の重みで突出部が下側瓦２を押圧する。これにより、融雪システム用金具１が上側瓦２と下側瓦３との間に確実に固定されることになる。
【００２３】
このように、本実施の形態に係る融雪システム用金具１は、導体収容部１１を設けているので、内部に挿通する導体４を太くすることが可能であり、これにより発熱量を増加させて融雪効率を向上させることができる。また、導体収容部１１で導体４を支持しており、テープで導体を固定していないので、従来のように導体の熱でテープの接着剤が融解して剥離するなどの問題は生じない。さらに係止部１３を下側瓦２の端部に引っ掛けて、下側瓦２と上側瓦３とで融雪システム用金具１を挟み込んでいるので、瓦２，３の間に融雪システム用金具１を固定することができる。
【００２４】
本発明は上記実施の形態に限定されず、種々変更して実施することが可能である。すなわち、上記実施の形態において説明した数値や材質などには限定されず、本発明の機能を発揮する範囲内で適宜変更して実施することができる。
【産業上の利用可能性】
【００２５】
本発明は、屋根に装着して屋根上に積もる雪を溶かす融雪システムに使用することができる。
【図面の簡単な説明】
【００２６】
【図１】本発明の一実施の形態に係る融雪システム用金具を示す図であり、（ａ）は側面図であり、（ｂ）は平面図である。
【図２】図１に示す融雪システム用金具を瓦に装着した状態を示す斜視図である。
【図３】図１に示す融雪システム用金具を瓦に装着した状態を示す側面図である。
【図４】従来の融雪システムを説明するための図である。
【符号の説明】
【００２７】
１  融雪システム用金具
２  下側瓦
３  上側瓦
４  導体
５  屋根
１１  導体収容部
１２  平坦部
１３  係止部
１４，１６  端部
１５  突出部
【図１】
2007239188.tif 000003
【図２】
2007239188.tif 000004
【図３】
2007239188.tif 000005
【図４】
2007239188.tif 000006